(57)【要約】【課題】複数の情報処理ユニットで協調処理を実行する。【解決手段】クラス縮退部８２は、クラス分類処理部８１によりクラス分類されて得られたクラス番号と、前段の情報処理ユニットの協調処理部６２で得られた協調伝達情報との供給を受け、クラス情報にまとめる。係数メモリ８３は、クラス情報に対応するアドレスに記憶されているタップ係数を適応予測処理部８５に供給する。適応予測処理部８５は、遅延部８４により所定の時間遅延されたクラスタップとタップ係数とを基に、線形予測演算などにより、注目画素に対応する適応予測値を求めて出力する。協調伝達情報変換部７１は、クラス分類結果と、前段の情報処理ユニット１４で生成された協調伝達情報との供給を受け、後段の情報処理ユニット１４の画像処理部６１の処理で用いられる協調伝達情報への変換処理を行い、遅延部７２に出力する。本発明は、テレビジョン受像機に適用できる。【選択図】      図３
2004247989.tif 000002
【特許請求の範囲】
【請求項１】
複数の情報処理ユニットが装着され、第１の情報を処理する情報処理装置において、
複数の前記情報処理ユニットを装着する装着手段と、
前記装着手段により装着された前記情報処理ユニットに前記第１の情報を供給する情報供給手段と、
前記装着手段により装着された前記情報処理ユニットにより処理された前記第１の情報を取得する情報取得手段と
を備え、
前記装着手段に装着される前記情報処理ユニットのそれぞれは、
前記第１の情報を処理する第１の情報処理手段と、
前記第１の情報処理手段により処理される前記第１の情報とは異なる情報であって、前記第１の情報処理手段による前記第１の情報の処理に用いて好適な
情報である第２の情報を生成する第２の情報処理手段と
を備えることを特徴とする情報処理装置。
【請求項２】
前記第２の情報処理手段は、後段の他の前記情報処理ユニットの前記第１の情報処理手段による処理に用いて好適な前記第２の情報を生成する
ことを特徴とする請求項１に記載の情報処理装置。
【請求項３】
前記第１の情報は、画像情報であり、
前記第１の情報処理手段は、前記画像情報の歪を除去する処理を実行する
ことを特徴とする請求項１に記載の情報処理装置。
【請求項４】
前記第２の情報処理手段は、前記画像情報の歪の特性情報を生成する処理を実行する
ことを特徴とする請求項３に記載の情報処理装置。
【請求項５】
前記第１の情報は、画像情報であり、
前記第１の情報処理手段は、前記画像情報の解像度を創造する処理を実行することを特徴とする請求項１に記載の情報処理装置。
【請求項６】
前記第２の情報処理手段は、前記画像情報の時間または空間における画像情報の変化を示す情報を生成する処理を実行する
ことを特徴とする請求項５に記載の情報処理装置。
【請求項７】
前記第１の情報処理手段は、前段の他の前記情報処理ユニットの前記第２の情報処理手段により生成された前記画像情報の歪の特性情報を用いて、前記画像情報の解像度を創造する処理を実行する
ことを特徴とする請求項５に記載の情報処理装置。
【請求項８】
前記第１の情報は、画像情報であり、
前記第１の情報処理手段は、前記画像情報の階調を創造する処理を実行する
ことを特徴とする請求項１に記載の情報処理装置。
【請求項９】
前記第１の情報処理手段は、前段の他の前記情報処理ユニットの前記第２の情報処理手段により生成された前記画像情報の時間または空間における画像情報の変化を示す情報を用いて、前記画像情報の階調を創造する処理を実行する
ことを特徴とする請求項８に記載の情報処理装置。
【請求項１０】
前記第１の情報処理手段、または、前記第２の情報処理手段のうちの少なくとも一部は、大規模集積回路によって構成される
ことを特徴とする請求項１に記載の情報処理装置。
【請求項１１】
複数の前記情報処理ユニットの、前記第１の情報処理手段を構成する第１の大規模集積回路は、共通した回路構成を有する
ことを特徴とする請求項１０に記載の情報処理装置。
【請求項１２】
複数の前記情報処理ユニットの、前記第２の情報処理手段を構成する第２の大規模集積回路は、共通した回路構成を有する
ことを特徴とする請求項１０に記載の情報処理装置。
【請求項１３】
前記大規模集積回路は、複数の処理が実行可能であり、所定の制御信号を用いて、複数の前記処理を切替え可能なように構成されている
ことを特徴とする請求項１０に記載の情報処理装置。
【請求項１４】
複数の情報処理ユニットが装着され、第１の情報を処理する情報処理装置の情報処理方法において、
複数装着された前記情報処理ユニットは、
第１の情報処理部で前記第１の情報を処理し、
第２の情報処理部で、前記第１の情報処理部により処理される前記第１の情報とは異なる情報であって、前記第１の情報処理部による前記第１の情報の処
理に用いて好適な情報である第２の情報を生成する
ことを特徴とする情報処理方法。
【請求項１５】
第１の情報を処理する情報処理装置に装着可能な情報処理ユニットにおいて、
前記第１の情報を処理する第１の情報処理手段と、
前記第１の情報処理手段により処理される前記第１の情報とは異なる情報であって、前記第１の情報処理手段による前記第１の情報の処理に用いて好適な情報である第２の情報を生成する第２の情報処理手段と
を備えることを特徴とする情報処理ユニット。
【請求項１６】
前記第２の情報処理手段は、同一の前記情報処理装置に装着されている後段の他の前記情報処理ユニットの前記第１の情報処理手段による処理に用いて好適な前記第２の情報を生成する
ことを特徴とする請求項１５に記載の情報処理ユニット。
【請求項１７】
前記第１の情報は、画像情報であり、
前記第１の情報処理手段は、前記画像情報の歪を除去する処理を実行する
ことを特徴とする請求項１５に記載の情報処理ユニット。
【請求項１８】
前記第２の情報処理手段は、前記画像情報の歪の特性情報を生成する処理を実行する
ことを特徴とする請求項１７に記載の情報処理ユニット。
【請求項１９】
前記第１の情報は、画像情報であり、
前記第１の情報処理手段は、前記画像情報の解像度を創造する処理を実行する
ことを特徴とする請求項１５に記載の情報処理ユニット。
【請求項２０】
前記第２の情報処理手段は、前記画像情報の時間または空間における画像情報の変化を示す情報を生成する処理を実行する
ことを特徴とする請求項１９に記載の情報処理ユニット。
【請求項２１】
前記第１の情報処理手段は、前段の他の前記情報処理ユニットの前記第２の情報処理手段により生成された前記画像情報の歪の特性情報を用いて、前記画像情報の解像度を創造する処理を実行する
ことを特徴とする請求項１９に記載の情報処理ユニット。
【請求項２２】
前記第１の情報は、画像情報であり、
前記第１の情報処理手段は、前記画像情報の階調を創造する処理を実行する
ことを特徴とする請求項１５に記載の情報処理ユニット。
【請求項２３】
前記第１の情報処理手段は、前段の他の前記情報処理ユニットの前記第２の情報処理手段により生成された前記画像情報の時間または空間における画像情報の変化を示す情報を用いて、前記画像情報の階調を創造する処理を実行する
ことを特徴とする請求項２２に記載の情報処理ユニット。
【請求項２４】
前記第１の情報処理手段、または、前記第２の情報処理手段のうちの少なくとも一部は、大規模集積回路によって構成される
ことを特徴とする請求項１５に記載の情報処理ユニット。
【請求項２５】
複数の前記情報処理ユニットの、前記第１の情報処理手段を構成する第１の大規模集積回路は、共通した回路構成を有する
ことを特徴とする請求項２４に記載の情報処理ユニット。
【請求項２６】
複数の前記情報処理ユニットの、前記第２の情報処理手段を構成する第２の大規模集積回路は、共通した回路構成を有する
ことを特徴とする請求項２４に記載の情報処理ユニット。
【請求項２７】
前記大規模集積回路は、複数の処理が実行可能であり、所定の制御信号を用いて、複数の前記処理を切替え可能なように構成されている
ことを特徴とする請求項２４に記載の情報処理ユニット。
【発明の詳細な説明】
【０００１】
【発明の属する技術分野】
本発明は、情報処理装置および情報処理方法並びに情報処理ユニットに関し、特に、１つの情報処理装置に対して、複数の情報処理ユニットを装着することが可能な場合に用いて好適な、情報処理装置および情報処理方法並びに情報処理ユニットに関する。
【０００２】
【従来の技術】
従来の情報機器においては、内部の制御基板を交換することによって、機能のバージョンアップを図ることができるようになされていたり、もしくは、内部の制御基板を増設することにより、新たな機能を追加することができるようになされていた。
【０００３】
具体的には、例えば、パーソナルコンピュータなどにおいて、主制御基板（いわゆるマザーボード）を、性能の良いＣＰＵ（Ｃｅｎｔｒａｌ  Ｐｒｏｃｅｓｓｉｎｇ  Ｕｎｉｔ）を搭載したものに交換することにより、パーソナルコンピュータの処理能力を向上させるようにしたり、ビデオカード、グラフィックカード、サウンドボードなどの拡張カードを増設したり、交換することなどにより、パーソナルコンピュータに新たな機能を追加したり、機能をバージョンアップさせることなどが可能であった。
【０００４】
【発明が解決しようとする課題】
しかしながら、従来の技術において、交換、または、増設される基板は、それぞれ個々の処理を実行するものである。すなわち、複数の基板のうちのいずれかの基板が交換されても、交換された基板に対応する処理機能のみが向上される。例えば、基板Ａによって処理Ａが実行され、処理Ａの結果に基づいて、基板Ｂによって処理Ｂが実行され、更に、処理Ｂの結果に基づいて、基板Ｃによって処理Ｃが実行されるようになされている場合、基板Ｂが交換されることによって処理能力が向上する処理は、処理Ｂのみであり、処理Ａおよび処理Ｂの処理能力には、なんら影響を及ぼさない。
【０００５】
本発明はこのような状況に鑑みてなされたものであり、複数の基板の処理を相互作用させることができるようにし、例えば、複数の情報処理ユニットが交換された場合や、新たな情報処理ユニットが装着された場合に、他の情報処理ユニットが実行する処理の処理能力も向上させるようにすることができるようにするものである。
【０００６】
【課題を解決するための手段】
本発明の情報処理装置は、複数の情報処理ユニットを装着する装着手段と、装着手段により装着された情報処理ユニットに第１の情報を供給する情報供給手段と、装着手段により装着された情報処理ユニットにより処理された第１の情報を取得する情報取得手段とを備え、装着手段に装着されるそれぞれの情報処理ユニットは、第１の情報を処理する第１の情報処理手段と、第１の情報処理手段により処理される第１の情報とは異なる情報であって、第１の情報処理手段による第１の情報の処理に用いて好適な情報である第２の情報を生成する第２の情報処理手段とを備えることを特徴とする。
【０００７】
第２の情報処理手段には、後段の他の情報処理ユニットの第１の情報処理手段による処理に用いて好適な第２の情報を生成させるようにすることができる。
【０００８】
第１の情報は、画像情報であるものとすることができ、第１の情報処理手段には、画像情報の歪を除去する処理を実行させるようにすることができる。
【０００９】
第２の情報処理手段には、画像情報の歪の特性情報を生成する処理を実行させるようにすることができる。
【００１０】
第１の情報は、画像情報であるものとすることができ、第１の情報処理手段には、画像情報の解像度を創造する処理を実行させるようにすることができる。
【００１１】
第２の情報処理手段には、画像情報の時間または空間における画像情報の変化を示す情報を生成する処理を実行させるようにすることができる。
【００１２】
第１の情報処理手段には、前段の他の情報処理ユニットの第２の情報処理手段により生成された画像情報の歪の特性情報を用いて、画像情報の解像度を創造する処理を実行させるようにすることができる。
【００１３】
第１の情報は、画像情報であるものとすることができ、第１の情報処理手段には、画像情報の階調を創造する処理を実行させるようにすることができる。
【００１４】
第１の情報処理手段には、前段の他の情報処理ユニットの第２の情報処理手段により生成された画像情報の時間または空間における画像情報の変化を示す情報を用いて、画像情報の階調を創造する処理を実行させるようにすることができる。
【００１５】
第１の情報処理手段、または、第２の情報処理手段のうちの少なくとも一部は、大規模集積回路によって構成されるものとすることができる。
【００１６】
複数の情報処理ユニットの、第１の情報処理手段を構成する第１の大規模集積回路は、共通した回路構成を有するものとすることができる。
【００１７】
複数の情報処理ユニットの、第２の情報処理手段を構成する第２の大規模集積回路は、共通した回路構成を有するものとすることができる。
【００１８】
大規模集積回路は、複数の処理が実行可能であり、所定の制御信号を用いて、複数の処理を切替え可能なように構成されているものとすることができる。
【００１９】
本発明の情報処理方法は、複数装着された情報処理ユニットの、第１の情報処理部で第１の情報を処理し、第２の情報処理部で、第１の情報処理部により処理される第１の情報とは異なる情報であって、第１の情報処理部による第１の情報の処理に用いて好適な情報である第２の情報を生成することを特徴とする。
【００２０】
本発明の情報処理装置および情報処理方法においては、情報処理ユニットが装着され、装着された情報処理ユニットに第１の情報が供給され、情報処理ユニットにより処理された第１の情報が取得され、情報処理ユニットを複数装着することが可能であり、情報処理ユニットにおいては、第１の情報が処理され、第１の情報とは異なる情報であって、第１の情報の処理に用いて好適な情報である第２の情報が生成される。
【００２１】
本発明の情報処理ユニットは、第１の情報を処理する第１の情報処理手段と、第１の情報処理手段により処理される第１の情報とは異なる情報であって、第１の情報処理手段による第１の情報の処理に用いて好適な情報である第２の情報を生成する第２の情報処理手段とを備えることを特徴とする。
【００２２】
第２の情報処理手段には、同一の情報処理装置に装着されている後段の他の情報処理ユニットの第１の情報処理手段による処理に用いて好適な第２の情報を生成させるようにすることができる。
【００２３】
第１の情報は、画像情報であるものとすることができ、第１の情報処理手段には、画像情報の歪を除去する処理を実行させるようにすることができる。
【００２４】
第２の情報処理手段には、画像情報の歪の特性情報を生成する処理を実行させるようにすることができる。
【００２５】
第１の情報は、画像情報であるものとすることができ、第１の情報処理手段には、画像情報の解像度を創造する処理を実行させるようにすることができる。
【００２６】
第２の情報処理手段には、画像情報の時間または空間における画像情報の変化を示す情報を生成する処理を実行させるようにすることができる。
【００２７】
第１の情報処理手段には、前段の他の情報処理ユニットの第２の情報処理手段により生成された画像情報の歪の特性情報を用いて、画像情報の解像度を創造する処理を実行させるようにすることができる。
【００２８】
第１の情報は、画像情報であるものとすることができ、第１の情報処理手段には、画像情報の階調を創造する処理を実行させるようにすることができる。
【００２９】
第１の情報処理手段には、前段の他の情報処理ユニットの第２の情報処理手段により生成された画像情報の時間または空間における画像情報の変化を示す情報を用いて、画像情報の階調を創造する処理を実行させるようにすることができる
【００３０】
第１の情報処理手段、または、第２の情報処理手段のうちの少なくとも一部は、大規模集積回路によって構成されるものとすることができる。
【００３１】
複数の情報処理ユニットの、第１の情報処理手段を構成する第１の大規模集積回路は、共通した回路構成を有するものとすることができる。
【００３２】
複数の情報処理ユニットの、第２の情報処理手段を構成する第２の大規模集積回路は、共通した回路構成を有するものとすることができる。
【００３３】
大規模集積回路は、複数の処理が実行可能であり、所定の制御信号を用いて、複数の処理を切替え可能なように構成されているものとすることができる。
【００３４】
本発明の情報処理ユニットにおいては、第１の情報が処理され、第１の情報とは異なる情報であって、第１の情報の処理に用いて好適な情報である第２の情報が生成される。
【００３５】
【発明の実施の形態】
以下、図を参照して、本発明の実施の形態について説明する。
【００３６】
図１は、本発明を適用した、テレビジョン受像機１の外観構成を示す図である。
【００３７】
テレビジョン受像機１には、表示部１１、ユーザによる操作入力を受ける操作入力部１２、および、情報処理ユニット１４−１乃至情報処理ユニット１４−ｎが装着可能なスロット部１３が設けられている。表示部１１は、例えば、ＣＲＴ（Ｃａｔｈｏｄｅ  Ｒａｙ  Ｔｕｂｅ），ＬＣＤ（Ｌｉｑｕｉｄ  Ｃｒｙｓｔａｌ  Ｄｉｓｐｌａｙ：液晶ディスプレイ）、もしくは、プラズマディスプレイなどにより構成される。操作入力部１２は、例えば、ボタン、ダイヤル、もしくは、リモートコマンダから送信される赤外線を受光する赤外線受光部などで構成される。
【００３８】
スロット部１３に装着可能な情報処理ユニット１４−１乃至情報処理ユニット１４−ｎは、テレビジョン受像機１に表示される画像に対応する画像信号、または、出力される音声に対応する音声信号などの処理を行うものであり、例えば、基板、もしくは、基板を内蔵した筐体などで構成され、その外形寸法は、スロット部１３の形状に合致するように、予め定められている。スロット部１３および情報処理ユニット１４−１乃至情報処理ユニット１４−ｎには、スロット部１３に情報処理ユニット１４−１乃至情報処理ユニット１４−ｎのいずれかを装着した場合に、それぞれ電気的に接続されるためのコネクタもしくは接触端子などが設けられており、コネクタもしくは接触端子の信号線およびピンアサインは、共通化されており、図２を用いて後述するテレビジョン受像機１のシステムコントローラと、情報処理ユニット１４−１乃至情報処理ユニット１４−ｎが、電気的に接続可能なようになされている。
【００３９】
以下、情報処理ユニット１４−１乃至情報処理ユニット１４−ｎを個々に区別する必要がない場合、単に情報処理ユニット１４と総称する。
【００４０】
また、ここでは、１つのスロット部１３に、複数の情報処理ユニット１４が装着可能であるものとして説明したが、１つ、または複数の情報処理ユニット１４が装着可能なスロット部１３が、複数設けられるようにしても良い。
【００４１】
図２は、テレビジョン受像機１の内部構成を示すブロック図である。なお、図２においては、映像信号の処理に関連する部分だけを図示し、音声信号に関する部分については、記載を省略している。
【００４２】
ユーザが、リモートコマンダ２１を用いて、テレビジョン受像機１に対する操作入力を行う場合、操作入力部１２の赤外線受光部２２は、ユーザの操作入力を示す赤外線信号を受けて、システムコントローラ２３に供給する。
【００４３】
システムコントローラ２３は、テレビジョン受像機１の内部処理を制御するものであり、コントロール・バス２４を介して、テレビジョン受像機１の各部に制御信号を出力する。
【００４４】
アンテナ２５により受信された放送信号は、チューナ部２６に供給される。チューナ部２６は、コントロール・バス２４を介して、システムコントローラ２３から供給された制御信号を基に、放送信号を選局し、映像信号選択部２７に供給する。映像信号選択部２７には、再生部２８は、例えば、ビデオカセットテープ、ＣＤ（Ｃｏｍｐａｃｔ  Ｄｉｓｃ）またはＤＶＤ（Ｄｉｇｉｔａｌ  Ｖｅｒｓａｔｉｌｅ  Ｄｉｓｋ）などの記録メディアに記録された映像信号を再生する。映像信号選択部２７には、再生部２８により再生された映像信号や、デジタル入力端子２９から入力される各種の映像信号などが供給される。映像信号選択部２７は、コントロール・バス２４を介して、システムコントローラ２３から供給された制御信号に基づいて、ユーザが所望する映像信号を選択し、フォーマット変換部３０に供給する。
【００４５】
フォーマット変換部３０は、供給された映像信号に対して、色信号やタイミングにかかわるフォーマットを変換し、スロット部１３に装着されている情報処理ユニット１４に供給する。
【００４６】
スロット部１３に装着されている情報処理ユニット１４は、コントロールバス４１およびビデオバス４２で接続されており、システムコントローラ２３から供給された制御信号や、情報処理ユニット１４のそれぞれの間で授受される情報（例えば、それぞれの処理に必要な係数などのデータ）は、コントロールバス４１を介して授受される。また、フォーマット変換部３０から供給されたビデオ信号は、ビデオバス４２を介して授受される。スロット部１３に装着されている情報処理ユニット１４は、供給されたビデオ信号に、所定の処理を施して、デバイスドライバ３１に供給する。情報処理ユニット１４の処理の詳細については、後述する。
【００４７】
デバイスドライバ３１は、システムコントローラ２３から供給される制御信号に基づいて、表示部１１を構成する表示デバイスを駆動して、表示部１１にビデオ信号に対応する画像を表示する。
【００４８】
図３は、情報処理ユニット１４の基本的な構成を示すブロック図である。
【００４９】
情報処理ユニット１４は、第１の処理を行う画像処理部６１と、第２の処理を行う協調処理部６２で構成されている。具体的には、画像処理部６１は、ビデオ信号の供給を受けて、画像処理を実行するものであり、協調処理部６２は、画像処理部６１の処理により生成された情報を用いて、後段に接続されている情報処理ユニット１４の画像処理部６１が実行する処理の機能を向上させるための処理を実行するものである。
【００５０】
画像処理部６１にビデオ信号を供給する入力端子６６と、処理後のビデオ信号が出力される出力端子６７は、図２のビデオバス４２に接続され、協調処理部６２に供給される制御信号、もしくは、係数などの各種情報が入力される入力端子６３と、協調処理部６２により生成される各種情報が出力される出力端子６５は、図２のコントロールバス４１に接続されている。
【００５１】
画像処理部６１のクラス分類処理部８１は、入力端子６６を介して供給されたビデオ信号の処理中のフレームのうち、画像処理において注目されている画素である注目画素を、クラス分類する。なお、複数のクラス分類処理部８１を並列に接続するようにし、異なる特徴量を用いたクラス分類処理が、平行して行われるようにしてもよい。
【００５２】
図４は、クラス分類処理部８１の構成を示すブロック図である。
【００５３】
クラスタップ取得部１０１は、供給されたビデオ信号の処理中のフレーム画像から、注目画素に対応する、所定の数のクラスタップを取得し、取得したクラスタップを、クラス分類部１０２および遅延部８４に供給する。クラス分類部１０２は、供給されたクラスタップを基に、例えば、ノイズの定常性や非定常性の特徴量、動き特徴量などの特徴量を基に、注目画素を、所定の数のクラスのうちの、１つのクラスに分類し、分類されたクラスに対応するクラス番号（クラス分類）を、クラス縮退部８２に供給する。
【００５４】
ここで、クラス分類を行う方法としては、例えば、ＡＤＲＣ（Ａｄａｐｔｉｖｅ  Ｄｙｎａｍｉｃ  Ｒａｎｇｅ  Ｃｏｄｉｎｇ）等を採用することができる。ＡＤＲＣを用いた場合、クラスタップを構成する画素が、ＡＤＲＣ処理され、その結果得られるＡＤＲＣコードにしたがって、注目画素のクラスが決定される。
【００５５】
なお、クラス分類部１０２には、例えば、クラスタップを構成する各画素の特徴量レベル分布のパターンを、そのままクラス分類として出力させることも可能である。しかしながら、この場合、クラスタップが、Ｎ個の画素サンプルで構成され、各画素サンプルに、Ｋビットが割り当てられているとすると、クラス分類部１０２が出力するクラス情報の場合の数は、画素サンプルのビット数Ｋに指数的に比例する膨大な数となってしまう。
【００５６】
したがって、クラス分類部１０２においては、クラスタップの情報量を、上述したＡＤＲＣ処理、もしくは、ベクトル量子化等によって圧縮することにより、クラス分類を行うのが好ましい。
【００５７】
クラス縮退部８２は、クラス分類処理部８１により求められた、１つ、もしくは複数のクラス番号と、前段に異なる処理を実行する情報処理ユニット１４が接続されている場合は、その情報処理ユニットの協調処理部６２の処理により得られる協調伝達情報との供給を受け、それらの情報を、クラス情報（クラスコード）にまとめ、係数メモリ８３に供給する。
【００５８】
図５は、クラス縮退部８２の構成を示すブロック図である。
【００５９】
図５の例においては、クラス分類処理部８１から、２ビットの動きクラスのデータＭＶ１とＭＢ０、４ビットの空間クラスのデータＳＰ３乃至ＳＰ０が供給され、縮退される場合について説明するが、供給されるクラス情報の種類や、協調伝達情報の種類、情報数などが異なる場合においても、基本的に同様の処理が実行される。
【００６０】
２ビットの動きクラスＭＶ１とＭＢ０は、オア（ＯＲ）回路１２１に供給されている。オア回路１２１の出力は、加算器１２２の一方の入力のＭＳＢ（最上位ビット）端子（図中、下部の端子を最上位ビットとする）に入力されている。動きクラスのＭＶ１は、加算器１２２の一方の入力のＭＳＢから２ビット目に入力されている。加算器１２２の一方の入力の下位３ビットは接地され、０とされている。
【００６１】
空間クラスのデータＳＰ３乃至ＳＰ０のうち、ＭＳＢのＳＰ３は、シフタ１２３のＭＳＢから２番目の端子に、ＳＰ２はＭＳＢから２番目の端子に、ＳＰ１はＭＳＢから３番目の端子に、そして、ＳＰ０はＬＳＢの端子に、それぞれ入力されている。シフタ１２３のＭＳＢの端子は接地され、０とされている。
【００６２】
シフタ１２３は、動きクラスに対応して動作し、動きクラスが０である場合、入力された下位４ビットのデータを、そのまま加算器１２２の他方の入力の下位４ビットに入力させる。これに対して、動きクラスが０ではない場合（１または２である場合）、シフタ１２３は、下位４ビットのデータをＬＳＢ側に１ビットずつシフトさせる。すなわち、入力されたデータを、実質的に１／２の値とする。そして、ビットシフトした後のデータを、加算器１２２の他方の入力の下位４ビットに供給する。加算器１２２の他方の入力のＭＳＢは、接地され、常に０とされている。
【００６３】
加算器１２２は、一方の入力から供給された５ビットのデータと、他方の入力から供給された５ビットのデータとを加算し、加算結果をクラス情報として、係数メモリ８３および適応予測処理部８５に出力する。
【００６４】
係数メモリ８３は、各クラス情報に対応するアドレスに、そのクラス情報に対応するクラスのタップ係数を記憶しており、クラス縮退部８２から供給されるクラス情報に対応するアドレスに記憶されているタップ係数を、適応予測処理部８５に供給する。
【００６５】
遅延部８４は、クラスタップ取得部１０１により取得されたクラスタップの供給を受け、クラス分類部１０２、クラス縮退部８２、および係数メモリ８３の処理速度に対応する時間だけ、クラスタップの適応予測処理部８５への供給を遅延させる。
【００６６】
適応予測処理部８５は、遅延部８４から供給されたクラスタップと、係数メモリ８３から供給されたタップ係数とを基に、例えば、線形予測演算などにより、注目画素に対応する適応予測値を求めて、出力端子６７より出力する。
【００６７】
ここでは、画像処理部６１が実行する処理として、クラス分類適応処理を用いた画像処理を例に挙げて説明しているが、画像処理部６１は、クラス分類適応予測以外の方法を用いて、画像処理を行うようにしてもよいことは言うまでもない。
【００６８】
遅延部６４は、対応する情報処理ユニット１４が、異なる情報処理ユニット１４の後段にある場合、前段の情報処理ユニット１４の協調処理部６２により生成された協調伝達情報を、入力端子６３を介して入力され、所定の時間遅延し、協調伝達情報変換部７１に供給する。協調伝達情報変換部７１は、対応する情報処理ユニット１４が、異なる情報処理ユニット１４の後段にある場合、遅延部６４から、前段の情報処理ユニット１４において生成された協調伝達情報の供給を受けるとともに、クラス分類処理部８１の処理により生成されるクラス分類結果の供給を受け、後段の情報処理ユニット１４の画像処理部６１の処理において用いられるのに好適な付加情報である協調伝達情報への変換処理を行い、遅延部７２に出力する。
【００６９】
なお、対応する情報処理ユニット１４が、画像処理の最も前段の処理を実行する場合、協調伝達情報変換部７１は、クラス分類処理部８１の処理により生成されるクラス分類結果のみを用いて、後段の情報処理ユニット１４の画像処理部６１の処理において用いられるのに好適な付加情報である協調伝達情報への変換処理を行い、協調伝達情報を生成する。すなわち、対応する情報処理ユニット１４が、画像処理の最も前段の処理を実行する場合、入力端子６３および遅延部６４は省略されるようにしても良い。
【００７０】
遅延部７２は、適応予測処理部８５による適応予測情報の出力タイミングにあわせて、供給された協調伝達情報を一定時間遅延し、出力端子６５から出力させる。
【００７１】
なお、対応する情報処理ユニット１４の後段に、異なる情報処理ユニットが接続されない場合、すなわち、対応する情報処理ユニット１４が、情報処理の最も後段の処理を実行する場合、協調処理部６２は、処理を実行しないようにしても良いし、もしくは、協調処理部６２を省略するようにしても良い。
【００７２】
次に、図６のフローチャートを参照して、情報処理ユニット１４が実行する画像処理について説明する。
【００７３】
画像処理部６１のクラス分類処理部８１は、ステップＳ１において、ビデオバス４２を介して供給される画像信号を取得し、ステップＳ２において、供給された画像信号の注目画素に対して、クラス分類を実行する。
【００７４】
具体的には、例えば、情報処理ユニット１４が入力ＳＤ信号（５２５ｉ信号）を、ＨＤ信号（１０５０ｉ）に変換する、解像度創造処理を実行する場合、クラス分類部８１のクラスタップ取得部１０１は、予測に使用する注目画素近辺の所定数のＳＤ画素、すなわち、予測タップと、作成するＨＤ画素の近傍のＳＤ画素のレベル分布のパターンに対応するクラス分類に使用するＳＤ画素、すなわち、空間クラスタップと、作成するＨＤ画素の近傍のＳＤ画素に基づいて動きに対応するクラス分類に使用するＳＤ画素、すなわち、動きクラスタップを抽出する。なお、空間クラスを複数フィールドに属するＳＤ画素を使用して決定する場合、空間クラスにも、動き情報が含まれる。予測タップは、遅延部８４に供給され、所定の時間だけ遅延された後、適応予測処理部８５に供給される。
【００７５】
クラス分類部１０２は、空間クラスタップを用いて、空間クラスを検出し、動きクラスタップを用いて、動きクラスを検出する。なお、クラスタップ取得部１０１およびクラス分類部１０２は、取得するクラスタップの種類、および、検出するクラスの種類に応じて、それぞれ個別に、複数設けるようにしても良いことは言うまでもない。
【００７６】
ステップＳ３において、協調処理部６２の協調伝達情報変換部７１は、後段に情報処理ユニット１４が存在するか否かを判断する。ステップＳ３において、後段に情報処理ユニット１４が存在しないと判断された場合、協調伝達情報変換部７１は、協調伝達情報の生成を行わないので、処理は、ステップＳ５に進む。
【００７７】
ステップＳ３において、後段に情報処理ユニット１４が存在すると判断された場合、ステップＳ４において、協調伝達情報変換部７１は、ステップＳ２におけるクラス分類結果、および、前段に他の情報処理ユニット１４が存在していた場合、その情報処理ユニット１４から供給された協調伝達情報を基に、協調伝達情報を生成し、遅延部７２に供給する。遅延部７２は、所定の期間だけ、協調伝達情報を遅延させて、出力する。
【００７８】
なお、後段に情報処理ユニット１４が存在しない情報処理ユニット１４において、協調処理部６２が省略されている場合、ステップＳ３およびステップＳ４はスキップされる。
【００７９】
ステップＳ３において、後段に情報処理ユニット１４が存在しないと判断された場合、または、ステップＳ４の処理の終了後、ステップＳ５において、クラス縮退部８２は、前段に情報処理ユニット１４が存在するか否かを判断する。
【００８０】
ステップＳ５において、前段に情報処理ユニット１４が存在すると判断された場合、クラス縮退部８２は、ステップＳ６において、前段の情報処理ユニットから供給された協調伝達情報を取得し、取得された協調伝達情報およびステップＳ２におけるクラス分類結果を基に、クラス縮退を行う。
【００８１】
ステップＳ５において、前段に情報処理ユニット１４が存在しないと判断された場合、ステップＳ８において、クラス縮退部８２は、ステップＳ２におけるクラス分類結果を基に、クラス縮退を行う。
【００８２】
ステップＳ９において、係数メモリ８３および適応予測処理部８５の処理により、適応予測が実行され、予測結果が出力されて処理が終了される。
【００８３】
具体的には、クラス縮退部８２の処理によって得られたクラス情報が係数メモリ８３に対して、アドレスとして供給され、係数メモリ８３からクラス情報に対応する係数データが読出され、適応予測処理部８５に供給される。また、遅延部８４より、予測タップが適応予測処理部８５に供給される。適応予測処理部８５は、予測タップ（５２５ｉ信号の画素）と係数データとの線形推定式を用いて、ＳＤデータに対応するＨＤデータ（１０５０ｉ  信号のデータ）を算出する。
【００８４】
このような処理が、複数の情報処理ユニット１４において連続的に実行されるので、例えば、複数の情報処理ユニット１４のうちの一部が交換されて、その機能が向上された場合、例えば、交換された情報処理ユニット１４−２が実行する処理の性能が向上するのみでなく、交換された情報処理ユニット−２において生成された協調伝達情報が用いられることにより、その後段の情報処理ユニット１４−３が実行する処理も向上する。
【００８５】
次に、協調伝達情報と、後段の情報処理ユニット１４の画像処理部６１が実行する処理との関係の具体例について説明する。
【００８６】
図７は、スロット部１３に情報処理ユニット１４−１乃至情報処理ユニット１４−３が装着された場合の、情報処理ユニット１４−１乃至情報処理ユニット１４−３の具体的な構成と、それぞれのユニットの接続を示すブロック図である。なお、図７においては、コントロールバス４１およびビデオバス４２を省略し、画像信号および画像信号が、それぞれのユニットで直接入出力されるように記載されているが、画像信号および画像信号は、それぞれ、コントロールバス４１およびビデオバス４２を介して授受されていることは言うまでもない。
【００８７】
スロット部１３に装着されている情報処理ユニット１４−１乃至情報処理ユニット１４−３は、それぞれ、画像処理部６１−１乃至画像処理部６１−３において、それだけで独立した機能を果たすものである。まず、情報処理ユニット１４−１乃至情報処理ユニット１４−３における、画像処理部６１−１乃至画像処理部６１−３の処理について説明する。
【００８８】
情報処理ユニット１４−１は、画像処理部６１−１において、クラス分類適応処理によって、供給された画像信号から、歪を除去する処理を実行するものであり、通常のＴＶ信号に含まれる弱電界ノイズ除去はもちろん、適応処理の係数を変えたり、ＭＰＥＧのサイド情報を用いることで、ＭＰＥＧデジタル放送のブロック歪やモスキート歪などの歪を除去することができるものである。
【００８９】
具体的には、サイド情報クラス分類部８１−１ａは、ＭＰＥＧのサイド情報を基に、クラス分類を実行する。非定常特徴量クラス分類部８１−１ｂは、ノイズの非定常特徴量を基に、クラス分類を実行する。定常特徴量クラス分類部８１−１ｃは、ノイズの定常特徴量を基に、クラス分類を実行する。動き評価クラス分類部８１−１ｄは、動き特徴量抽を基に、クラス分類を実行する。そして、クラス縮退部８２−１は、サイド情報クラス分類部８１−１ａ乃至動き評価クラス分類部８１−１ｄにより検出されたクラス分類のうち、除去する歪の種類に対応したクラス分類を縮退して、クラス情報にまとめ、係数メモリ８３−１に供給する。係数メモリ８３−１は、歪除去のための適応予測に必要な係数を保存しており、このうち、供給されたクラス情報に対応する係数を適応予測処理部８５−１に供給する。遅延部８４−１は、予測タップの供給を受け、所定の時間だけ遅延し、適応予測処理部８５−１に供給する。適応予測処理部８５−１は、クラスに応じて適応予測処理を行い、ノイズ除去された画像信号を出力する。
【００９０】
情報処理ユニット１４−２は、画像処理部６１−２において、クラス分類適応処理によって、画像信号の時空間の解像度を創造する処理を行うものであり、時間方向（フレーム数）、空間方向（画素数、ライン数）の密度の変換を行うとともに、もともと持っていない帯域の情報を創り出すことで、例えば、標準テレビジョン画像からハイビジョン画像へ変換したり、２４コマの映画ソースから６０コマのテレビジョン放送信号フォーマットへ変換するなどの処理のように、より高精細な画像を創り出すことができるものである。
【００９１】
時空間クラス分類部８１−２は、空間クラスタップおよび動きクラスタップを抽出し、時間方向（フレーム数）、空間方向（画素数、ライン数）の動きの特徴量を基に、クラス分類を実行する。クラス縮退部８２−２は、時空間クラス分類部８１−２により検出されたクラス分類と、情報処理ユニット１４−１の協調処理部６２−１から供給された協調伝達情報とを縮退して、クラス情報にまとめ、係数メモリ８３−２に供給する。係数メモリ８３−２は、解像度創造のための適応予測に必要な係数を保存しており、このうち、供給されたクラス情報に対応する係数を適応予測処理部８５−２に供給する。遅延部８４−２は、クラスタップの供給を受け、所定の時間だけ遅延し、適応予測処理部８５−２に供給する。適応予測処理部８５−２は、クラスに応じて適応予測処理を行い、解像度創造された画像信号を出力する。
【００９２】
情報処理ユニット１４−３は、画像処理部６１−３において、階調に応じたクラス分類適応処理によって、供給された画像信号の階調特性を、人の目に対してリニアな特性をもたらす階調特性に変換して、階調を創造する処理を行うものであり、例えば、表示のデバイスがＣＲＴであるか、プラズマであるか、もしくは、ＬＣＤであるかによって、主にガンマ特性の違いにより、表示に適した階調特性が異なるが、画像処理部６１−３は、いずれの場合おいても、最適な階調変化を創り出すことができるようにするものであり、この処理により、より自然な映像が、表示部１１に表示されるようになる。
【００９３】
階調クラス分類部８１−３は、階調クラスタップを抽出し、クラス分類を実行する。クラス縮退部８２−３は、階調クラス分類部８１−３により検出されたクラス分類と、情報処理ユニット１４−２の協調処理部６２−２から供給された協調伝達情報とを縮退して、クラス情報にまとめ、係数メモリ８３−３に供給する。係数メモリ８３−３は、階調創造のための適応予測に必要な係数を保存しており、このうち、供給されたクラス情報に対応する係数を適応予測処理部８５−３に供給する。遅延部８４−３は、クラスタップの供給を受け、所定の時間だけ遅延し、適応予測処理部８５−３に供給する。適応予測処理部８５−３は、クラスに応じて適応予測処理を行い、解像度創造された画像信号を出力する。
【００９４】
ここで、画像処理部６１−１においては、通常のＴＶ信号に含まれる弱電界ノイズ、または、ＭＰＥＧデジタル放送のブロック歪もしくはモスキート歪などのうち、いかなる歪を除去することができるようにするかに基づいて、回路構成を決めるようにしても良いし、画像処理部６１−２においては、いかなる入力信号から、どのような出力信号を創造することができるかに基づいて、回路構成を決めるようにしても良いし、画像処理部６３−３においては、どのような階調特性を用いて階調度創造を行うかに基づいて、回路構成を決めるようにしても良い。また、これらの画像処理部６１を有する情報処理ユニット１４においては、例えば、特開２０００−４１２２３号公報に記載されている技術を用いることにより、ハードウェアの規模を増加させることなく、複数の信号処理や画像変換処理を実行することができるようにしてもよい。
【００９５】
具体的には、例えば、入力された５２５ｉ信号を、１０５０ｉ信号、または、５２５ｐ信号に変換させる解像度創造処理を行うために必要なハードウェアの大部分は、共通して利用することができるので、画像処理部６１−２においては、入力された５２５ｉ信号を、１０５０ｉ信号に変換させる解像度創造処理、および、５２５ｐ信号に変換させる解像度創造処理をいずれも実行することができるようにし、ユーザの操作に基づいて、もしくは、入力画像信号の絵柄の検出結果に応じて自動的に、変換方法選択信号を発生させて、出力される信号を、１０５０ｉ信号、または、５２５ｐ信号のうちのいずれかから選択することができるようにしてもよい。
【００９６】
上述したように、情報処理ユニット１４−１乃至情報処理ユニット１４−３は、それぞれ、画像処理部６１−１乃至６１−３において、それだけで独立した機能を果たすものであるが、更に、協調処理部６２−１乃至６２−３をそれぞれ有する。協調処理部６２−１乃至６２−３は、画像処理部６１−１乃至６１−３において抽出された特長量の供給を受け、これらの特徴量を、後段の情報処理ユニット１４の画像処理部６１において使用される協調伝達情報を生成して出力する。
【００９７】
協調処理部６２−１の協調伝達情報変換部７１−１は、画像処理部６１のサイド情報クラス分類部８１−１ａ乃至動き評価クラス分類部８１−１ｄから、抽出した特徴量の供給を受け、歪の特性を表現する協調伝達情報に変換して、遅延部７２−１に供給する。遅延部７２−１は、供給された協調伝達情報を、所定の時間だけ遅延し、情報処理ユニット１４−２の遅延部６４−２に供給する。
【００９８】
情報処理ユニット１４−２の遅延部６４−２は、歪の特性を表現する協調伝達情報の供給を受け、所定の時間だけ遅延して、協調処理部６２−２の協調伝達情報変換部７１−２および画像処理部６１−２のクラス縮退部８２−２に供給する。
【００９９】
ここで、画像処理部６１−２において、解像度を創り出す際に、前段の画像処理部６１−１において歪が除去された画像信号を用いるか否かによって、解像度創造の性能が大幅に異なる場合がある。例えば、モスキート歪が映像のある場所にあって、画像処理部６１−１において、そのモスキート歪が除去されていた場合について説明する。
【０１００】
モスキート歪除去後の画像は、歪成分が抑圧されているが、歪が除去されたことにより、歪除去後の画像は、もともとの画像信号にあったディテールの情報であるか、歪が抑圧されて少し残された成分であるかを区別しにくくなる場合がある。これに対して、画像処理部６１−１における歪の特性情報を、画像の位置に対応して画像処理部６１−２に伝達させるようにすることにより、画像処理部６１−１における解像度の創造を、生成される画像信号に、どの程度効かすべきであるかの判断を正しく行わせるようにすることができる。画像処理部６１−２は、例えば、画像処理部６１−１における歪の特性情報を参照して、歪が発生していた部分に対しては、解像度を抑える方向に作用させ、歪が発生していない部分のディテールに対しては、解像度を向上させる方向に作用させることで、画像処理の性能を大幅に改善させることができる。
【０１０１】
協調処理部６２−２の協調伝達情報変換部７１−２は、情報処理ユニット１４−１の協調処理部６２−１から供給された協調伝達情報と、時空間クラス分類部８１−２から供給された時空間のクラス情報とを、後段の画像処理部６１−３における処理において用いられて好適な、時空間変化情報を表現する協調伝達情報に変換して、遅延部７２−２に供給する。遅延部７２−２は、供給された協調伝達情報を、所定の時間だけ遅延し、情報処理ユニット１４−３の遅延部６４−３に供給する。
【０１０２】
情報処理ユニット１４−３の遅延部６４−３は、時空間変化情報を表現する協調伝達情報の供給を受け、所定の時間だけ遅延して、協調処理部６２−３の協調伝達情報変換部７１−３および画像処理部６１−３のクラス縮退部８２−３に供給する。
【０１０３】
階調特性は、主にガンマ特性の違いにより異なるものであると上述したが、これはあくまでも静特性であり、動画像における場合の階調特性は、注目点の周囲の画素の空間的な変化や時間的な変化によって、微妙に変化する動特性を持っている。具体的には、例えば、直前のフレームとの輝度レベルの変化が右上がりか、左下がりかによって、同じ輝度であっても見え方が異なる場合が発生する。したがって、前段の処理で作られた時空間の変化情報は、階調創造処理において非常に重要である。画像処理部６１−３は、例えば、画像処理部６１−２における時空間の変化の状態に応じて、階調特性の変化を与えるようにすることにより、より決め細やかな階調創造処理の制御を行うことができ、画像処理の性能を大幅に改善させることができる。
【０１０４】
協調処理部６２−３の協調伝達情報変換部７１−３は、更に後段に情報処理ユニット１４−４が接続されている場合、供給された協調伝達情報と、階調クラス分類部８１−３から供給された、時空間のクラス情報とを、後段の画像処理部６１−４における処理において用いられて好適な情報を表現する協調伝達情報に変換して、遅延部７２−３に供給する。遅延部７２−３は、供給された協調伝達情報を、所定の時間だけ遅延し、情報処理ユニット１４−４の遅延部６４−４に供給する。また、更に後段に情報処理ユニット１４−４が接続されていない場合、協調処理部６２−３を省略するようにしても良い。
【０１０５】
このように、異なる情報処理ユニット１４間で協調して処理が実行されるので、例えば、情報処理ユニット１４−１が交換されるなどしてひずみ除去の性能が向上した場合、そこで得られる歪の特性情報を用いて解像度創造処理を実行する情報処理ユニット１４−２の性能も向上する。また、同様にして、情報処理ユニット１４−２が交換されるなどして解像度創造の性能が向上した場合、そこで得られる時空間変化情報を用いて階調創造処理を実行する情報処理ユニット１４−３の性能も向上する。
【０１０６】
以上説明した情報処理ユニット１４は、処理が共通する部分を、同一のＬＳＩ（Ｌａｒｇｅ  Ｓｃａｌｅ  Ｉｎｔｅｇｒａｔｉｏｎ）により構成するなどすることにより、製造コストを削減することができる。
【０１０７】
具体的には、図８に示されるように、画像処理部６１のうちクラス分類を実行する処理を行う部分を、アドオン処理を行う一方の部分として処理ブロック１５１とし、協調処理部６２を、アドオン処理を行う他方の部分として処理ブロック１５２とし、画像処理部６１のうち、クラス縮退および適応予測を行う部分を、メイン処理を行う処理ブロック１５１として、それぞれを同一のＬＳＩで構成するようにすれば良い。
【０１０８】
すなわち、サイド情報クラス分類部８１−１ａ乃至動き評価クラス分類部８１−１ｄ、時空間クラス分類部８２、および、階調クラス分類部８３は、クラス分類処理機能を有する同一のＬＳＩにより構成可能（処理ブロック１５１−１乃至１５１−３）である。そして、協調伝達情報変換部７１−１および遅延部７２−１、協調伝達情報変換部７１−２および遅延部７２−２、並びに、協調伝達情報変換部７１−３および遅延部７２−３は、協調伝達情報を生成する機能を有する同一のＬＳＩにより構成可能（処理ブロック１５２−１乃至１５２−３）である。また、クラス縮退部８２−１、係数メモリ８３−１、遅延部８４−１、および、適応予測処理部８５−１、クラス縮退部８２−２、係数メモリ８３−２、遅延部８４−２、および、適応予測処理部８５−２、並びに、クラス縮退部８２−３、係数メモリ８３−３、遅延部８４−３、および、適応予測処理部８５−３は、クラス縮退および適応予測の機能を有する同一のＬＳＩにより構成可能（処理ブロック１５３−１乃至１５３−３）である。
【０１０９】
なお、これらの処理ブロック１５１乃至１５３は、その処理内容により、全く同一のＬＳＩにより構成することができない場合が発生したとしても、それぞれ共通する部分を多く有するＬＳＩによって構成することができる。
【０１１０】
また、それぞれのＬＳＩは、例えば、国際公開番号ＷＯ９６／０７９８７号公報に記載されている技術を適用して、１つのＬＳＩチップ上に構成される共通のハードウェアによって、複数の機能のデジタル信号処理が可能であるようにしても良い。
【０１１１】
具体的には、ＬＳＩに、複数の入力端子および出力端子、並びに、制御信号入力端子を設けるとともに、複数の回路群を形成する。回路群としては、例えば、演算回路、メモリ、積和演算回路、アダー、乗算器、レジスタなどがそれぞれ必要に応じて１つ、もしくは複数形成される。そして、供給される制御信号に基づいて、入力／出力あるいは相互間（回路群あるいは回路間の相互接続、および回路群の内部における回路間の相互接続の両者を意味する）の接続状態を切り換えるための切換器が、これらの回路群あるいは回路に対して設けられる。換言すると、ＬＳＩ内のデジタル信号の流れと各回路群の機能とが、制御信号により切り替えられる切替え器の動作によって制御可能となるように構成される。
【０１１２】
処理ブロック１５１−１乃至１５１−３、処理ブロック１５２−１乃至１５２−３、または、処理ブロック１５３−１乃至１５３−３に、このような構成を有し、複数の機能のデジタル信号処理が可能であるＬＳＩを用いるようにすることにより、情報処理ユニット１４の構成を変更させることなく、機能変化に柔軟に対応させるようにすることが可能となる。
【０１１３】
また、処理ブロックごとにＬＳＩ化することにより、情報処理ユニット１４ごと交換を行うのではなく、特定のＬＳＩのみを交換することによって、より低コストでテレビジョン受像機１全体の機能の向上を図ることが可能になる。
【０１１４】
以上の説明においては、テレビジョン受像機１を例として説明したが、本発明は、複数の処理ユニット（もしくは処理ブロック）を用いて情報を処理する、いかなる情報処理機器においても適用可能であることは言うまでもない。
【０１１５】
【発明の効果】
このように、本発明によれば、供給された情報を処理することができる。特に、装着された複数の情報処理ユニットにおいて、協調して情報を処理することができる。
【０１１６】
また、他の本発明によれば、情報を処理することが可能な情報処理ユニットを提供することができる他、他の情報処理ユニットと協調して情報を処理することができる。
【図面の簡単な説明】
【図１】本発明を適用した、テレビジョン受像機の外観を示す図である。
【図２】図１のテレビジョン受像機の内部構造を示すブロック図である。
【図３】図１および図２の情報処理ユニットの構成を示すブロック図である。
【図４】図３のクラス分類処理部の構成を示すブロック図である。
【図５】図３のクラス縮退部の構成を示すブロック図である。
【図６】図３の情報処理ユニットが実行する処理を説明するフローチャートである。
【図７】図３の情報処理ユニットの具体的な構成について説明する図である。
【図８】図７の情報処理ユニットを、ＬＳＩを用いて構成することについて説明するための図である。
【符号の説明】
１  テレビジョン受像機，  １１  表示部，  １２  操作入力部，  １３  スロット部，  １４  情報処理ユニット，  ２３  システムコントローラ，  ４１コントロールバス，  ４２  ビデオバス，  ６１  画像処理部，  ６２  協調処理部，  ７１  協調伝達情報変換部，  ７２  遅延部，  ８１  クラス分類処理部，  ８２  クラス縮退部，  ８３  係数メモリ，  ８４  遅延部，  ８５  適応予測処理部，  １５１乃至１５３  処理ブロック
【図１】
2004247989.tif 000003
【図２】
2004247989.tif 000004
【図３】
2004247989.tif 000005
【図４】
2004247989.tif 000006
【図５】
2004247989.tif 000007
【図６】
2004247989.tif 000008
【図７】
2004247989.tif 000009
【図８】
2004247989.tif 000010